(57)【要約】【課題】異なる口元口径を有する複数の飲料容器にも対応可能であり、虫や埃の進入・混入を防止できる飲料容器の飲みかけキャップを実現することを目的とする。【解決手段】ペットボトルの飲み口の口径に対応し、天板部の外縁から外側下方に向けて口径が増大するように一体的に形成された第一のテーパー部と、ペットボトルの飲み口より大きな口元の第一飲料容器の口径に対応し、第一のテーパー部より外側下方に一体的に設けられた、第二のテーパー部とを備え、第一のテーパー部と天板部とは、プルトップステイオンタブが起こされた状態で収納可能な、上方に凸形状のプルトップステイオンタブハウジングを構成する飲料容器の飲みかけキャップとする。【選択図】図１
2014043259.tif 000002
【特許請求の範囲】
【請求項１】
ペットボトルの飲み口の口径に対応し、天板部の外縁から外側下方に向けて口径が増大するように一体的に形成された第一のテーパー部と、
前記ペットボトルの飲み口より大きな口元の第一飲料容器の口径に対応し、前記第一のテーパー部より外側下方に一体的に設けられた、第二のテーパー部とを備え、
前記第一のテーパー部と前記天板部とは、プルトップステイオンタブが起こされた状態で収納可能な、上方に凸形状のプルトップステイオンタブハウジングを構成する
ことを特徴とする飲料容器の飲みかけキャップ。
【請求項２】
請求項１に記載の飲料容器の飲みかけキャップにおいて、
前記第一飲料容器の口元よりさらに大きな口元の第二飲料容器の口径に対応し、前記第二のテーパー部よりさらに外側下方に一体的に設けられた、第三のテーパー部を備える
ことを特徴とする飲料容器の飲みかけキャップ。
【請求項３】
請求項２に記載の飲料容器の飲みかけキャップにおいて、
前記第三のテーパー部の底面は、少なくとも一つの空気導通用凸部または凹部を備える
ことを特徴とする飲料容器の飲みかけキャップ。
【請求項４】
請求項１乃至請求項３のいずれか一項に記載の飲料容器の飲みかけキャップにおいて、
前記第一のテーパー部の外壁は、少なくとも一つの重畳用凸部を備える
ことを特徴とする飲料容器の飲みかけキャップ。
【請求項５】
請求項１乃至請求項４のいずれか一項に記載の飲料容器の飲みかけキャップにおいて、
前記第一のテーパー部と前記第二のテーパー部との間に、前記天板部と平行な繋ぎ部を備える
ことを特徴とする飲料容器の飲みかけキャップ。
【請求項６】
請求項１乃至請求項５のいずれか一項に記載の飲料容器の飲みかけキャップにおいて、
前記飲みかけキャップは、可撓性の素材で一体的に形成される
ことを特徴とする飲料容器の飲みかけキャップ。
【請求項７】
請求項１乃至請求項６のいずれか一項に記載の飲料容器の飲みかけキャップにおいて、
前記第一のテーパー部と前記第二のテーパー部の少なくともいずれか一方の厚さは、前記天板部の厚さよりも薄い
ことを特徴とする飲料容器の飲みかけキャップ。
【発明の詳細な説明】
【技術分野】
【０００１】
本発明は、開栓された飲料容器に虫や埃等が進入することを防止する飲料容器の飲みかけキャップに関する。
【背景技術】
【０００２】
下記特許文献１には、ステイオンタブおよびスコアを有する缶蓋を備えた飲料缶のキャップに係わり、特にステイオンタブを引き起こしてスコアを開口した状態で被せることのできる飲料缶のキャップが提案されている。
【０００３】
これによれば、現在大量に普及しているステイオンタブおよびスコアを有する缶蓋の飲料缶に対応でき、しかもステイオンタブが引き起こされたままで被せることのできる飲料缶のキャップを提供すること、また、飲料缶からキャップ内に流出した飲料が、キャップ外に流出しないようにした飲料缶のキャップを提供すること、さらに、キャップ内に流出する飲料の量を少なくできるようにした飲料缶のキャップを提供することを目的とする考案であることが記載されている。
【０００４】
また、この考案に係る飲料缶のキャップは、略円筒状の缶本体の上端部に、ステイオンタブおよびスコアを有する缶蓋を巻き締め固定し、缶本体の上端部外周縁に巻き締めフランジを形成した飲料缶に被せるキャップであり、このキャップは、缶蓋の全体を覆う天板部と巻き締めフランジの外周に嵌合係合する側壁部とを有し、しかも被せた状態で、天板部の内面と缶蓋の間に、巻き締めフランジの上端よりも高く引き起こされたステイオンタブを許容する空間部を形成するように構成されることが開示されている。
【０００５】
そして、この考案のキャップにより、ステイオンタブを巻き締めフランジの上端より高く引き起こしたままで、飲料缶にキャップを適宜に被せることができ、もって、塵埃等から飲み口を保護することができ、しかも、巻き締めフランジの外周にキャップの側壁部を水密構造で嵌合係合させるならば、飲料缶を傾けまたは転倒させても飲料がキャップ外に零れることがないとの作用効果を奏することが記載されている。
【先行技術文献】
【特許文献】
【０００６】
【特許文献１】実用新案登録第３０８９６８４号
【発明の概要】
【発明が解決しようとする課題】
【０００７】
従来、ペットボトルや缶コーヒー、缶ビール等の異なる口元口径を有する複数の飲料容器に対応可能な、飲料容器の飲みかけキャップは提案されていない。ペットボトルや缶飲料等に対応可能な飲料容器の飲みかけキャップは、便利であるとともに、飲みかけの飲料容器への虫や埃等の進入・混入を防止し、衛生上の観点からも心理的な安心感を得られるので好ましい。
【０００８】
本願発明は、上述の問題点に鑑み為された発明であって、異なる口元口径を有する複数の飲料容器にも対応可能であり、虫や埃の進入・混入を防止できる飲料容器の飲みかけキャップを提案することを目的とする。
【課題を解決するための手段】
【０００９】
本発明の飲料容器の飲みかけキャップは、ペットボトルの飲み口の口径に対応し、天板部の外縁から外側下方に向けて口径が増大するように一体的に形成された第一のテーパー部と、ペットボトルの飲み口より大きな口元の第一飲料容器の口径に対応し、第一のテーパー部より外側下方に一体的に設けられた、第二のテーパー部とを備え、第一のテーパー部と天板部とは、プルトップステイオンタブが起こされた状態で収納可能な、上方に凸形状のプルトップステイオンタブハウジングを構成することを特徴とする。
【００１０】
また、本発明の飲料容器の飲みかけキャップは、好ましくは第一飲料容器の口元よりさらに大きな口元の第二飲料容器の口径に対応し、第二のテーパー部よりさらに外側下方に一体的に設けられた、第三のテーパー部を備えることを特徴とする。
【００１１】
また、本発明の飲料容器の飲みかけキャップは、さらに好ましくは第三のテーパー部の底面が、少なくとも一つの空気導通用凸部または凹部を備えることを特徴とする。
【００１２】
また、本発明の飲料容器の飲みかけキャップは、さらに好ましくは第一のテーパー部の外壁が、少なくとも一つの重畳用凸部を備えることを特徴とする。
【００１３】
また、本発明の飲料容器の飲みかけキャップは、さらに好ましくは第一のテーパー部と第二のテーパー部との間に、天板部と平行な繋ぎ部を備えることを特徴とする。
【００１４】
また、本発明の飲料容器の飲みかけキャップは、さらに好ましくは飲みかけキャップが、可撓性の素材で一体的に形成されることを特徴とする。
【００１５】
また、本発明の飲料容器の飲みかけキャップは、さらに好ましくは第一のテーパー部と第二のテーパー部の少なくともいずれか一方の厚さは、天板部の厚さよりも薄いことを特徴とする。
【発明の効果】
【００１６】
異なる口元口径を有する複数の飲料容器にも対応可能であり、虫や埃の進入・混入を防止できる飲料容器の飲みかけキャップを実現できる。
【図面の簡単な説明】
【００１７】
【図１】飲料容器の飲みかけキャップの中央断面図について説明する図である。
【図２】飲みかけキャップを二つ重ねた状態を説明する断面図である。
【図３】（ａ）は飲みかけキャップの平面図であり、（ｂ）は飲みかけキャップの底面図である。
【図４】飲みかけキャップを形成する可撓性の素材の典型例としてアロン化成（株）のエラストマー系ＡＲ−８００シリーズ物性表を説明する図である。
【発明を実施するための形態】
【００１８】
図１は、飲料容器の飲みかけキャップ１０００の中央断面図（図３（ａ）の破線Ａ−Ａ’断面図）について説明する図である。飲料容器の飲みかけキャップ１０００は、正面、背面、右側面、左側面から観察した中央断面図が同一であってもよい。
【００１９】
図１に示すように、飲みかけキャップ１０００は、中心が弱冠凹とされた円板状の形状である天板部１０１０と、天板部１０１０の辺縁部分から外側下方に傾斜した第一のテーパー部１０２０とを備える。
【００２０】
第一のテーパー部１０２０は、中心からの距離が例えば２５ｍｍ乃至２９ｍｍの範囲となるように形成されてもよい。これにより、口元口径が２５ｍｍ乃至２９ｍｍの範囲内にあるペットボトルの口元に、第一のテーパー部１０２０の内壁が当接し、対応することができる。
【００２１】
飲みかけキャップ１０００は可撓性素材で形成されることが好ましく、ペットボトルの口元に当接した第一のテーパー部１０２０の内壁は、ペットボトルの円周形状の口元に密着することができるので、虫や埃やゴミ等がペットボトル内に進入することを防止する。
【００２２】
また、飲みかけキャップ１０００は、第一のテーパー部１０２０から連続して外方向に張り出した鍔状の繋ぎ部１０３０を備える。繋ぎ部１０３０は、天板部１０１０に平行であってもよく、好ましくは水平に形成される。また、飲みかけキャップ１０００は、繋ぎ部１０３０の外縁から、さらに外側下方に向けて形成された、第二のテーパー部１０４０を備える。
【００２３】
第二のテーパー部１０４０は、中心からの距離が例えば４８ｍｍ乃至５４ｍｍの範囲として形成されてもよい。これにより、口元外径が４８ｍｍ乃至５４ｍｍの範囲内にある缶コーヒーや緑茶缶等（第一飲料容器）の口元に、第二のテーパー部１０４０の内壁が当接し、対応することができる。
【００２４】
飲みかけキャップ１０００は可撓性素材で形成されていることが好ましく、缶コーヒーや緑茶缶等の口元に当接した第二のテーパー部１０４０の内壁は、缶コーヒー等の円周形状の口元外径に密着することができ、虫や埃やゴミ等がペットボトル内に進入することを防止する。
【００２５】
また、飲みかけキャップ１０００は、第二のテーパー部１０４０のさらに外側下方に向けて形成された、第三のテーパー部１０５０を備えてもよい。また、図１に示すように、第三のテーパー部１０５０は、中心からの距離が例えば５６ｍｍ乃至６２ｍｍの範囲内として形成されることができる。これにより、口元外径が５６ｍｍ乃至６２ｍｍの範囲内にあるビール缶等（第二飲料容器）の口元に、第三のテーパー部１０５０の内壁が当接し、対応することができる。
【００２６】
飲みかけキャップ１０００は可撓性素材で形成されていることが好ましく、ビール缶等の口元に当接した第三のテーパー部１０５０の内壁は、缶コーヒー等の円周形状の口元外径に密着することができ、虫や埃やゴミ等がペットボトル内に進入することを防止する。第二のテーパー部１０４０と第三のテーパー部１０５０との間に、鍔状の繋ぎ部をさらに備えてもよい。この繋ぎ部は、天板部１０１０と平行に水平に形成してもよい。
【００２７】
また、図１から理解できるように、第一のテーパー部１０２０の外壁には、少なくとも一つの重畳用凸部１０６０を備える。重畳用凸部１０６０により、飲みかけキャップ１０００を二つ重ねた状態においても、重ねられた二つの飲みかけキャップ１０００の間に空間が形成されて、二つの飲みかけキャップ１０００が吸盤のように密着して互いに吸着することを防止できる。重畳用凸部１０６０は、一以上の任意の数を設けることとできる。
【００２８】
また、第三のテーパー部１０５０の底面には、少なくとも一つの空気導通用凸部１０７０を備える。これにより、食卓等の平らな面上に飲みかけキャップ１０００を載置した場合でも、容易に取り上げることが可能となる。
【００２９】
仮に、空気導通用凸部１０７０を備えないとすれば、飲みかけキャップ１０００が可撓性の素材で形成されている場合には、食卓等の平らな面に載置した時に、あたかも吸盤のように当該平らな面に吸着することが懸念される。しかし、空気導通用凸部１０７０により、飲みかけキャップ１０００と食卓等とで構成される内部空間に対し、空気が容易に導かれるため、吸着されることを防止できる。また、空気導通用凸部１０７０に代えて溝を形成し、空気導通用凹部としてもよい。空気導通用凸部１０７０は、一以上の任意の数を設けることができる。
【００３０】
また、図１に示すように、天板部１０１０と第一のテーパー部１０２０とは、缶飲料のプルトップステイオンタブが引き起こされた状態（開栓された状態）で収納される、プルトップステイオンタブハウジング１０８０を構成する。
【００３１】
プルトップステイオンタブハウジング１０８０により、飲みかけキャップ１０００の第二のテーパー部１０４０や第三のテーパー部１０５０で、缶飲料の口元に蓋した場合でも、当該缶飲料のプルトップステイオンタブが何ら障害となることがなく、適正に缶飲料の円周状の口元外形に第二のテーパー部１０４０または第三のテーパー部１０５０の内壁が密着することができる。
【００３２】
また、図２は、飲みかけキャップ１０００を二つ重ねた状態を説明する断面図である。図２から理解できるように、重畳用凸部１０６０（１）、（２）は、飲みかけキャップ１０００（１）、１０００（２）が、重ね置きされた場合に密着して吸着されることを防止することができる。
【００３３】
また、図２に示すように、可撓性素材で形成された飲みかけキャップ１０００は、繋ぎ部１０３０（１）、（２）の厚さ（Ｌ１）が、第一のテーパー部１０２０（１）、（２）の厚さ（Ｌ２）よりも好ましくは厚く形成される。
【００３４】
これにより、ペットボトルの口元に第一のテーパー部１０２０の内壁を当接させる場合に、第一のテーパー部１０２０の内壁がフレキシブルにペットボトルの口元にフィットし、密着することができるので、いわば弱い吸盤のように穏やかな吸着力を発揮することができる。従って、ペットボトルに飲みかけキャップ１０００を装着した状態において、多少の振動や揺れが生じた場合においても、飲みかけキャップ１０００が容易に外れてしまう懸念を低減できる。
【００３５】
また、第二のテーパー部１０４０と第三のテーパー部１０５０との厚さは、各々第一のテーパー部１０２０の厚さ（Ｌ２）と同一とすることで、第二のテーパー部１０４０と第三のテーパー部１０５０とがそれぞれ缶飲料の口元外形辺縁部にフレキシブルにフィットし易くなり、密着することで、穏やかな吸着力で飲みかけキャップ１０００が装着されるものとなる。
【００３６】
上述した説明からも理解できるように、飲みかけキャップ１０００を好ましくは可撓性素材で形成することにより、吸盤のような穏やかな吸着力を発揮し易いものとする。また、各テーパー部１０２０、１０４０、１０５０の厚さが、繋ぎ部１０３０や天板部１０１０の厚さに比較して薄く形成されていることにより、飲みかけキャップ１０００の全体的な形状を保持しながらも、飲料容器との当接部位においてさらにフレキシブルに飲料容器の円周形状口元外形にピッタリと対応して密着し、これに装着されるものとなる。
【００３７】
より具体的には、飲みかけキャップ１０００の装着動作時に、飲料容器の口元外形に当接した各テーパー部１０２０、１０４０、１０５０内壁は、上方から軽い押圧力を受けて、飲料容器との当接部位が一時的に弱冠外側に押し広げられるようにして密着する。その後、装着動作が完了して上方からの押圧力が無くなれば、飲みかけキャップ１０００はテーパーにより弱冠上方へと戻ろうとするが、一方で吸盤ライクな穏やかな吸着力により飲みかけキャップ１０００が下方に吸着力を受けるため、両者の力が均衡した位置でしっかりと飲料容器に装着される。
【００３８】
また、飲料自体から気体が発生する炭酸飲料等の場合には、プルトップステイオンタブハウジング１０８０の減圧状態は内部発生気体により比較的短時間で解消されて吸盤ライクな穏やかな吸着力は比較的短時間で解消されることとなる。この場合においても、口元外形の辺縁部と各テーパー部１０２０、１０４０、１０５０の内壁とがほぼ密着していることにより、飲みかけキャップ１０００が外れることはなく、虫や埃等をシャットアウトするキャップ機能は維持される。
【００３９】
図３（ａ）は飲みかけキャップ１０００の平面図であり、図３（ｂ）は飲みかけキャップ１０００の底面図である。図３（ａ）、（ｂ）において、重畳用凸部１０６０と空気導通用凸部１０７０とは各々一つ及び四つ設ける典型例を示しているが、これに限定されるものではなく、それぞれ一以上の任意の数だけ任意の箇所に設けることができる。空気導通用凸部１０７０は、例えば高さを１ｍｍの突起としてもよい。なお、図３（ａ）に示したＡ−Ａ’破線は、図１の断面位置を示すものである。
【００４０】
また、図４は、飲みかけキャップ１０００を形成する可撓性の素材の典型例としてアロン化成（株）のエラストマー系ＡＲ−８００シリーズ物性表を説明する図である。
【００４１】
図４において、軟化温度が８０℃乃至１４８℃の素材を用いれば、熱い飲料容器に対しても適用できるので好ましい。また、図４において、硬さ（瞬間値）が５０乃至９０程度であることが、適正な可撓性を発揮できる観点からは好ましく、適宜ＰＰ（ポリプロピレン）をブレンドして硬度調整をしてもよい。
【００４２】
図４に示す可撓性素材の他に、ウレタン系やシリコン系、他のエラストマー系の柔らかい樹脂素材を用いることもできる。この場合においても、素材のブレンド等により硬さ（瞬間値）が５０乃至９０程度とすることが好ましい。
【００４３】
また、本実施形態で示した飲みかけキャップ１０００は、典型例として三つのテーパー部を備える構成を開示しているが、これに限定されるものではない。例えば、第一のテーパー部１０２０と第三のテーパー部１０５０との二つのテーパー部を備える構成としてもよい。また、第二のテーパー部１０４０と第三のテーパー部１０５０との二つのテーパー部を備える構成としてもよい。また、ペットボトルと缶飲料とに限定されることはなく、各テーパー部の口径に対応する飲料容器であれば、例えば陶器製のコップ等のキャップとして装着することもできる。
【００４４】
上述した飲みかけキャップ１０００は、実施形態での説明に限定されるものではなく、本実施形態で説明する技術思想の範囲内かつ自明な範囲内で、適宜その構成や材質及び装着方法等を変更することができる。また、飲みかけキャップ１０００は、一体的に形成されることが好ましい。
【産業上の利用可能性】
【００４５】
本発明の飲みかけキャップは、種々の開栓後飲料等の虫・埃等混入防止キャップとして広く適用できる。
【符号の説明】
【００４６】
１０００・・飲みかけキャップ、１０１０・・天板部、１０２０・・第一のテーパー部、１０３０・・繋ぎ部、１０４０・・第二のテーパー部、１０５０・・第三のテーパー部、１０６０・・重畳用凸部、１０７０・・空気導通用凸部。
【図１】
2014043259.tif 000003
【図２】
2014043259.tif 000004
【図３】
2014043259.tif 000005
【図４】
2014043259.tif 000006